(57)【要約】【課題】  複数のユーザが異なるテレビ受像装置を用いて１台のセットトップボックスを使い回しするような場合に、利便性の高いセットトップボックスを提供する。【解決手段】  装置本体１０と、該装置本体１０に着脱が可能であり外部コネクタ２３，２４と機能設定用のスイッチ２２が設けられたケーブル接続ユニット２０とを備え、装置本体１０がケーブル接続ユニット２０に装着されたときに装置本体１０の接続コネクタ１１とケーブル接続ユニット２０の内部コネクタ２７とが接続されて、外部コネクタ２３，２４や設定用のスイッチ２２が前記装置本体に電気的に接続されるように構成する。さらに、装置本体１０とケーブル接続ユニット２０とを容易に分離できないように結合するロック機構を設け、装置本体１０によりロック解除の制御が行われるように構成する。【選択図】        図１
2006197317.tif 000002
【特許請求の範囲】
【請求項１】
テレビ受像装置にケーブルを介して接続され放送信号を受信して前記テレビ受像装置に映像信号や音声信号を出力するための機能を備えたセットトップボックスであって、
前記機能を提供する電気回路が搭載された装置本体と、
該装置本体に着脱が可能であり、テレビ受像装置やアンテナに接続される外部コネクタ、電源供給用のコネクタ或いは電源コード、および、前記装置本体の機能設定を行う設定スイッチが設けられたケーブル接続ユニットとを備え、
前記装置本体には内部の電気回路とつながっている第１コネクタが設けられ、
前記ケーブル接続ユニットには前記外部コネクタと前記設定スイッチにつながっている第２コネクタが設けられ、
前記装置本体に前記ケーブル接続ユニットが装着されたときに前記第１コネクタと前記第２コネクタとが接続され、それにより、前記外部コネクタが前記装置本体の内部の電気回路と電気的に接続されて、前記装置本体にアンテナからの放送信号の入力と電源の供給がなされるとともに、装置本体からテレビ受像装置に映像信号と音響信号の出力が可能にされ、且つ、前記設定スイッチの設定内容が前記装置本体に送られるように構成され、
さらに、前記装置本体と前記ケーブル接続ユニットとを分離できないように結合するロック機構と、
このロック機構の動作制御を行う制御手段とが設けられ、
前記制御手段は、前記装置本体が受信予約の待機中である場合、或いは、前記装置本体がファームウェアのダウンロード中である場合に、通常時よりも前記ロック機構による結合状態を解除しにくくすることを特徴とするセットトップボックス。
【請求項２】
テレビ受像装置にケーブルを介して接続され該テレビ受像装置に所定の機能を提供するセットトップボックスであって、
前記所定の機能を提供するための電気回路が搭載された装置本体と、
該装置本体に着脱が可能であり少なくともテレビ受像装置を接続する外部コネクタが設けられたケーブル接続ユニットとを備え、
前記装置本体には内部の電気回路とつながっている第１コネクタが設けられ、
前記ケーブル接続ユニットには前記外部コネクタにつながっている第２コネクタが設けられ、
前記装置本体に前記ケーブル接続ユニットが装着されたときに前記第１コネクタと前記第２コネクタとが接続されて、前記外部コネクタが前記装置本体内部の電気回路に電気的に接続されるように構成されていることを特徴とするセットトップボックス。
【請求項３】
前記ケーブル接続ユニットには前記装置本体の機能設定を行う設定スイッチが設けられ、
この設定スイッチの設定内容が前記第２コネクタと前記第１コネクタとを介して前記装置本体に送られるように構成されていることを特徴とする請求項２記載のセットトップボックス。
【請求項４】
前記装置本体と前記ケーブル接続ユニットとを分離できないように結合するロック機構と、
このロック機構の動作制御を行う制御手段とが設けられ、
前記制御手段は、前記装置本体の動作状態に応じて解除条件が異なるように前記ロック機構を制御することを特徴とする請求項２又は３に記載のセットトップボックス。
【請求項５】
テレビ放送の受信予約が可能な請求項４記載のセットトップボックスであって、
前記制御手段は、前記装置本体が受信予約の待機中である場合に、通常時よりも前記ロック機構による結合状態を解除しにくくすることを特徴とするセットトップボックス。
【請求項６】
前記制御手段は、前記装置本体がファームウェアのダウンロード中である場合に、通常時よりも前記ロック機構による結合状態を解除しにくくすることを特徴とする請求項４又は５に記載のセットトップボックス。
【請求項７】
放送信号を受信してテレビ受像装置へ映像信号と音声信号とを出力する請求項２〜６の何れかに記載のセットトップボックスであって、
前記ケーブル接続ユニットには、さらに、アンテナに接続される外部コネクタと、電源供給用のコネクタ或いは電源コードとが設けられ、
前記ケーブル接続ユニットを介して、前記装置本体へアンテナからの放送信号の入力と電源の供給が可能に構成されていることを特徴とするセットトップボックス。
【発明の詳細な説明】
【技術分野】
【０００１】
この発明は、テレビ受像装置に接続されて追加機能を提供するセットトップボックスに関し、１台のセットトップボックスを複数のテレビ受像装置で使い回しする場合に有用な技術に関する。
【背景技術】
【０００２】
テレビ受像装置に接続されてこのテレビ受像装置に追加機能を提供するセットトップボックスと呼ばれる装置がある。セットトップボックスには、ケーブルテレビや衛星放送などで有料放送のスクランブルを解除するなどしてテレビ視聴を可能とする装置の他、テレビ受像装置にビデオオンデマンドやインターラクティブテレビなどの機能を付加するもの、通信カラオケの端末装置など、様々な機能のものがある。
【０００３】
このようなセットトップボックスには、装置の裏面側にテレビ受像装置をケーブル接続するための外部端子や、アンテナからの同軸ケーブルを接続するコネクタや、データ通信用のコネクタや、その他、多数のコネクタが設けられ、これらに所定のケーブルを接続することで使用可能な状態とされる。
【０００４】
従来、電子機器と他のデバイスとを接続するのに有用な従来の技術として、特許文献１〜３に開示されるような技術がある。特許文献１は、セットトップボックスに複数のリムーバブルＨＤＤ（ハードディスク）を接続したり外したりする場合に利便性を向上させる技術を開示している。特許文献２は、２台の電子機器を上下に重ねる態様で簡単に接続する構造技術を開示している。特許文献３は、セットトップボックスにネットワークモジュールを簡単確実に装着する構造技術を開示している。
【特許文献１】特開２００４−１９９７４２号公報
【特許文献２】特開２０００−２３２２７７号公報
【特許文献３】特開平１０−１４５７６７号公報
【発明の開示】
【発明が解決しようとする課題】
【０００５】
本発明者らは、セットトップボックスを複数のテレビ受像装置で共有する場合に利便性の向上を図れないか検討した。従来のセットトップボックスでは、例えば居間のテレビと書斎のテレビなど、複数のテレビで１台のセットトップボックスを使い回しするような場合に、非常に煩雑な作業が必要であった。すなわち、居間のテレビで使用していたセットトップボックスを移動させて書斎のテレビで使用する場合、先ず、居間のテレビに接続されているセットトップボックスから全てのケーブルを取り外し、さらに、セットトップボックスの電源コネクタをコンセントから外してフリーな状態にする。そして、このセットトップボックスを、書斎に持っていき同様に複数のケーブルと電源コネクタとを接続してやっと使用可能な状態となる。これらの作業は大変煩雑である。
【０００６】
ところで、祖父のテレビと子供部屋のテレビとで１台のセットトップボックスを使い回しするなど、使用するユーザが異なってくる場合には、例えば、祖父が使用する場合にはメニューの文字表示を大きく設定し、子供が使用する場合には視聴制限の設定をしたいなど、使用箇所ごとにセットトップボックスの設定を変更したいという要求が生じる。
【０００７】
しかしながら、従来のセットトップボックスでは、このような要求に応えるには設置箇所を変えるたびにユーザが機器を操作して設定の変更をするしかなく、このような処理は大変面倒なものであることが予想された。
【０００８】
また、セットトップボックスには、例えば、録画のため受信予約の待機中やデータのダウンロード中など、見た目上は不使用の状態でも、その間にケーブルなどが外されては困る場合がある。したがって、複数のユーザが１台のセットトップボックスを別々の使用箇所で用いるような場合、なんら工夫がないと、外されて困るときにセットトップボックスを外されて持っていかれてしまうという問題が発生することが予想された。
【０００９】
この発明の目的は、複数のユーザが異なるテレビ受像装置を用いて１台のセットトップボックスを使い回しするような場合に、セットトップボックスの取付けと取外しが容易であり、使用箇所ごとにセットトップボックスの設定を変えたい場合にも容易に対応でき、さらに勝手に取外されては困るような場合には自動的に取外され難いような設定となるセットトップボックスを提供することにある。
【課題を解決するための手段】
【００１０】
本発明は、上記目的を達成するため、テレビ受像装置にケーブルを介して接続され該テレビ受像装置に所定の機能を提供するセットトップボックスであって、前記所定の機能を提供するための電気回路が搭載された装置本体と、該装置本体に着脱が可能であり少なくともテレビ受像装置を接続する外部コネクタが設けられたケーブル接続ユニットとを備え、前記装置本体には内部の電気回路とつながっている第１コネクタが設けられ、前記ケーブル接続ユニットには前記外部コネクタにつながっている第２コネクタが設けられ、前記装置本体が前記ケーブル接続ユニットに装着されたときに前記第１コネクタと前記第２コネクタとが接続されて、前記外部コネクタが前記装置本体内部の電気回路に電気的に接続される構成とした。
【００１１】
このような手段によれば、複数のテレビ受像装置の各々にケーブル接続ユニットを予め接続しておくことで、１個の装置本体を移動させて各ケーブル接続ユニットに装着させるだけで、セットトップボックスを複数のテレビ受像装置の間で移動させながら共有使用することが出来る。一方のテレビ受像装置から他方のテレビ受像装置へセットトップボックスを移し変える際には、ケーブルの挿抜といった煩雑な作業が低減される。
【００１２】
望ましくは、前記ケーブル接続ユニットには前記装置本体の機能設定を行う設定スイッチが設けられ、この設定スイッチの設定内容が前記第２コネクタと前記第１コネクタとを介して前記装置本体に送られるように構成すると良い。
【００１３】
このような手段によれば、テレビ受像装置ごとにセットトップボックスの設定を変えたいような場合でも、各設定をケーブル接続ユニットの設定スイッチで行って保存しておくことが出来るので、セットトップボックスを移動させてケーブル接続ユニットに装着するだけで予め設定しておいた設定内容に変更させることが出来る。つまり、移動させるたびに設定の変更操作をすると云った煩雑な処理をしなくても済む。
【００１４】
また望ましくは、前記装置本体と前記ケーブル接続ユニットとを容易に分離できないように結合するロック機構と、このロック機構の動作制御を行う制御手段とが設けられ、前記制御手段は、前記装置本体の動作状態に応じて解除条件が異なるように前記ロック機構を制御するように構成すると良い。
【００１５】
このような構成によれば、装置本体を外されては困る動作状態のときには、自動的に、ロック機構の制御により装置本体が外れない或いは外され難いようにすることが出来る。
【００１６】
具体的には、テレビ放送の受信の予約が可能なセットトップボックスの場合に、前記制御手段は、前記装置本体が受信予約の待機中である場合に、通常時よりも前記ロック機構による結合状態を解除しにくくするように（例えば、通常時は解除ボタンの１回の操作で解除されるのを２回の操作や長押し等で解除されるようにするなど）構成すると良い。また、前記装置本体がファームウェアのダウンロード中である場合に、同様に、通常時よりも前記ロック機構による結合状態を解除しにくくするように構成すると良い。
【００１７】
また具体的には、放送信号を受信してテレビ受像装置へ映像信号と音声信号とを出力するセットトップボックスの場合に、前記ケーブル接続ユニットには、さらに、アンテナに接続される外部コネクタと、電源供給用のコネクタ或いは電源コードとが設けられ、前記ケーブル接続ユニットを介して、前記装置本体へアンテナからの放送信号の入力と電源の供給が可能なように構成すると良い。
【００１８】
この構成により、予めケーブル接続ユニットに必要なケーブル接続と電源コンセントへの接続を行っておくことで、あとは装置本体をケーブル接続ユニットに装着するだけで、セットトップボックスを使用可能な状態にすることが出来る。
【発明の効果】
【００１９】
以上説明したように、本発明に従うと、１台のセットトップボックスを複数台のテレビ受像装置、複数のユーザ間で使い回しする場合に、セットトップボックスを移動させるときにケーブルの挿抜の手間が省けるという効果がある。
【００２０】
また、セットトップボックスを移動させて使用する箇所ごとにセットトップボックスの設定内容を変えたいような場合でも、移動させるたびに設定変更の操作をする必要なく、自動的に設置箇所ごとの設定内容を適用させることが出来るという効果がある。
【００２１】
また、複数のユーザ間でセットトップボックスを使い回しする際に、セットトップボックスを持ち出されると困るような動作状態のときに、その動作状態に応じて自動的に持ち出しされ難い状態にすることが出来るという効果がある。
【発明を実施するための最良の形態】
【００２２】
以下、本発明の実施の形態を図面に基づいて説明する。
【００２３】
図１は、本発明の実施の形態のセットトップボックスと複数のテレビ受像装置との接続構成を示すシステム構成図である。
【００２４】
この実施の形態のセットトップボックス１は、例えば、ＢＳ（放送衛星）やＣＳ（通信衛星）のテレビ放送を受信して映像信号や音声信号をケーブル接続されたテレビ受像装置や録画装置などに出力する装置である。このセットトップボックス１は、これらの機能を提供する電子回路が搭載された装置本体１０と、装置本体１０と着脱可能で外部接続される複数のケーブルを予め接続しておくための複数のケーブル接続ユニット２０，２０とから構成される。
【００２５】
ケーブル接続ユニット２０，２０は、セットトップボックス１を使用するテレビ受像装置Ｗ，Ｗの台数分用意され、各テレビ受像装置Ｗ，Ｗに予めケーブル接続されるとともにその他の必要なケーブルも接続された状態にしておく。
【００２６】
図２には、装置本体とケーブル接続ユニットの接続構造を示す。同図（ａ）は装置本体の後部側面図とこの装置本体と分離したケーブル接続ユニットの断面図であり、（ｂ）は両者を接続させた状態の図である。また、図３には、装置本体をケーブル接続ユニットに装着させた状態の正面図を示す。
【００２７】
ケーブル接続ユニット２０には、裏面側に、セットトップボックスの視聴設定用に設けられた複数の設定スイッチ２２と、映像信号や音声信号が出力されるＡＶコネクタ２３と、放送信号を入力するためのアンテナコネクタ２４と、その他、図示略のデータ通信用コネクタなど、外部コネクタとしての様々なコネクタが設けられている。そして、ＡＶコネクタ２３には例えばテレビ受像装置ＷからのケーブルＫ１が接続され、アンテナコネクタ２４には例えばアンテナに接続された同軸ケーブルＫ２が接続され、その他のコネクタにはそれぞれ所定のケーブルが接続された状態にされる。また、ケーブル接続ユニット２０には電源コード２５が設けられており、この電源コード２５のプラグ２５ａがコンセントに差し込まれた状態にされる。
【００２８】
図２に示すように、ケーブル接続ユニット２０には、内部にＡＶコネクタ２３や設定スイッチ２２と配線接続される配線基板２６が設けられている。また、ケーブル接続ユニット２０の内側には装置本体１０と接続される内部コネクタ（第２コネクタ）２７が設けられており、この内部コネクタ２７の各端子が配線基板２６を介してＡＶコネクタ２３、設定スイッチ２２、その他のコネクタ、および電源に電気的に接続された構成になっている。
【００２９】
また、アンテナコネクタ２４は、電波漏れが生じないようにコネクタの外側端部から装置本体１０に接続される内側端部にかけて例えばＦコネクタなどインピーダンス整合のとれたシールド構造を有したコネクタが用いられ、内側の端部２４ｂが内部コネクタ２７と並ぶように配置されている。
【００３０】
ケーブル接続ユニット２０には、その内側に装置本体１０が挿入されたときに、装置本体１０の裏面に当接して過度な挿入を防止する板バネ等によるストッパー２８が設けられている。また、このストッパー２８の先端はカギ状に曲げられていて、後述するロック機構１３の回動部材１３１が係止されるようにもなっている。このストッパー２８は、配線基板２６と一緒に固定部材を介してケーブル接続ユニット２０の筐体に固定されている。
【００３１】
また、ケーブル接続ユニット２０の前面側は、上下二分割に開閉可能にされた保護板２９，２９が取り付けられており、装置本体１０が挿入されていない状態ではこれら保護板２９，２９が閉じて内部が覆われた状態にされ、装置本体１０が挿入されることで保護板２９，２９が開いて装置本体１０を内部に進入可能な状態にする。
【００３２】
また、図３に示すように、装置本体１０の側面とケーブル接続ユニット２０の側面とには、同じ高さ位置でほぼ同じ大きさ同じ形状の段差Dが設けられており、装置本体１０をケーブル接続ユニット２０に挿入する際にこの段差Ｄが上下方向の位置決めとされるようになっている。さらにこの段差Ｄにより装置本体１０が上下逆さまの状態で挿入されるのが防止される。
【００３３】
装置本体１０の裏面側には、第１コネクタとして、ケーブル接続ユニット２０の内部コネクタ２７に接続される接続コネクタ１１と、アンテナコネクタ２４の内側端部２４ｂに接続される接続コネクタ１２とが設けられている。
【００３４】
図４には、装置本体側に設けられた接続コネクタ１１とケーブル接続ユニットに設けられた内部コネクタ２７の図を示す。同図（ａ−１），（ａ−２）は装置本体側の接続コネクタ１１の側面図と正面図、（ｂ−１），（ｂ−２）は内部コネクタ２７の正面図と側面図である。
【００３５】
装置本体１０の接続コネクタ１１は、図４（ａ−１），（ａ−２）に示すように、接続コネクタの枠体１１１の中央に端子となる細長い平板状のピン１１２，１１２…が間隔を開けて多数一列に形成された構成となっている。なお、複数列に形成しても良い。
【００３６】
ケーブル接続ユニット２０の内部コネクタ２７は、図４（ｂ−１），（ｂ−２）に示すように、上記平板状のピン１１２，１１２…が進入可能な空間に、接続端子としてこれら平板状のピン１１２，１１２…を上下から挟み付けて接触する金属製のバネ材２７１，２７１…が形成された構成となっている。
【００３７】
ピン１１２，１１２…も、バネ材２７１，２７１…も、左右方向にやや長め（例えば２〜３ｍｍ）の形状であり、装置本体１０の接続コネクタ１１とケーブル接続ユニット２０の内部コネクタ２７とが少し横方向に位置ズレして挿入された場合でも、両方の端子の接続が確実に行われるようになっている。
【００３８】
図５には、ケーブル接続ユニットの視聴設定スイッチの回路構成を示す図である。
【００３９】
設定スイッチ２２は、例えば、メニュー表示の大小の表示設定、特定のチャンネルや番組の視聴を制限する視聴制限の有無の設定、ユーザ番号の設定などを行うものである。このユーザ番号を設定することで、例えば、リモコンのお気に入りボタンを押すことで表示されるお気に入りメニューの内容がユーザ番号に対応する内容に設定されたりする。
【００４０】
設定スイッチ２２は、図５に示されるように、ハイレベルまたはローレベルの２値の信号を出力する複数のスイッチＳＷ１〜ＳＷｎから構成され、この信号が内部コネクタ２７を介して装置本体１０に送られるようになっている。装置本体１０においては、ケーブル接続ユニット２０が装着されたときに装置本体１０のＣＰＵがこれら設定スイッチ２２の信号を読み込んで、それに応じた制御をするように構成されている。
【００４１】
図６には装置本体に設けられているロック機構の構成図を、図７にはロック機構を駆動制御するための回路構成図を示す。
【００４２】
装置本体１０に設けられたロック機構１３は、ケーブル接続ユニット２０のストッパー２８の先端に係止されるように一部が張り出すように形成された鉤部１３１ａを有する回動部材１３１と、この回動部材１３１を回動可能に軸支する支軸１３２とから構成される。
【００４３】
上記の支軸１３２と、この支軸１３２が挿通される回動部材１３１に設けられた挿通孔には、その一部の範囲に例えば支軸の径を小さくするなどして隙間が設けられ、この隙間の部分に支軸１３２には電磁コイル１３３が、回動部材１３１の挿通孔には磁石１３４が固着されている。
【００４４】
そして、この電磁コイル１３３に電流が供給されていないときには、自重または図示しないバネの力により回動部材１３１の鉤部１３１ａが下方に下がって、図６（ａ）のようにロックが解除された状態にされる。このとき、回動部材１３１に設けられたストッパー片１３１ｂが装置本体１０の筐体に引っ掛かって、回動部材１３１が必要以上に筐体内部に入り込まない。一方、電磁コイル１３３に電流が流されることで、電磁コイル１３３と磁石１３４の電磁作用により回動部材１３１が回動して鉤部１３１ａがストッパー２８の先端に係止される位置まで上昇し、図６（ｂ）のようにロックされた状態となる。
【００４５】
電磁コイル１３３は、図７に示されるように、駆動回路４２を介して装置本体１０に搭載されセットトップボックスの全体的な制御を行う制御手段であるＣＰＵ４１に接続されており、ＣＰＵ４１の駆動制御によりオン・オフされてロック機構１３の状態が切り換えられるようになっている。また、装置本体１０の前面側には、ロック機構を解除するための解除ボタン（図示省略）が設けられ、この操作信号がＣＰＵ４１に入力されるようになっている。
【００４６】
ＣＰＵ４１により遂行されるロック機構１３のロックの制御とロック解除の制御は次の通りである。まず、ロックの制御は、装置本体１０がケーブル接続ユニット２０に装着されて装置本体１０の主電源がオンの状態になったことで、ＣＰＵ４１が駆動回路４２に作動の制御信号を出力することで遂行される。すなわち、装置本体１０の接続コネクタ１１とケーブル接続ユニット２０の内部コネクタ２７とが接続されて装置本体１０に電源供給がなされることでロック機構１３が駆動されロックの状態となる。
【００４７】
図８には、ＣＰＵ４１により実行されるロック解除の制御処理のフローチャートを示す。
【００４８】
ロック解除の制御処理は、装置本体１０に設けられたロック解除ボタンが操作されることで開始され、先ず、ステップＳ１でロック解除ボタンの押され方を判別する処理を行って、ステップＳ２に移行する。ここで、ロック解除ボタンの押され方としては、例えば短い時間間隔（例えば１秒）の間に１回のみ押されたのか、２回押されたのか、所定時間（例えば２秒間）長押しされたものなのかを判別する。
【００４９】
ステップＳ２では、装置本体１０の動作状態を確認して予約待機中（例えば録画装置と連動した録画予約の待機中など）か否かを判別し、そうであればステップＳ４に、そうでなければステップＳ３に移行する。
【００５０】
ステップＳ３では、現在の装置の動作状態がファームウェアのダウンロード中か否かを判別し、そうであればステップＳ４に、そうでなければステップＳ５に移行する。このファームウェアのダウンロードは、装置のファームウェアを更新するために通信手段を用いてサーバコンピュータと接続して行うものである。
【００５１】
その結果、予約待機中でもダウンロード中でもなくステップＳ５に移行した場合には、該ステップにてロック機構１３のロックを解除させて、この制御フローを終了する。
【００５２】
一方、予約待機中かダウンロード中かでステップＳ４に移行した場合には、該ステップで解除ボタンの押し方が２回押しか長押し、或いは１回押しかを判別し、１回押しであればロックを解除することなくこの制御フローを終了するが、２回押しか長押しであれば強制解除と判断してステップＳ５に移行してロックを解除させて制御フローを終了する。
【００５３】
つまり、このロック解除の制御処理により、予約待機中やファームウェアのダウンロード中など装置本体１０が外されては困るような場合に、通常のロック解除の操作（例えば解除ボタンの１回押し）だけではロックは解除されず、強制解除の操作（例えば２回押しや長押し）の場合のみロックが解除されるように制御される。
【００５４】
なお、通常のロック解除の操作でロックを解除しない場合に、ロック不可の表示出力を行わせるようにしても良い。また、通常時はロック機構１３のロックが掛からないようにしておき、装置本体１０が外されては困るような場合のみロック機構１３のロックが掛かるように構成することも出来る。
【００５５】
以上、この実施の形態のセットトップボックス１によれば、１個の装置本体１０を移動させて各ケーブル接続ユニット２０…に装着させるだけで、セットトップボックス１を複数のテレビ受像装置Ｗの間で移動させながら共有使用することが出来るとともに、装置本体１０を移し変える際には、ケーブルの挿抜といった煩雑な作業が不要となる。
【００５６】
さらに、ケーブル接続ユニット２０に視聴設定用の設定スイッチ２２が設けられ、この設定内容が装置本体１０に送られてセットトップボックス１の使用時に反映されるので、複数のユーザ間で使い回しする際に、移動させるたびに設定変更の操作をすることなく各ユーザに合わせた設定で使用することが出来る。
【００５７】
また、装置本体１０とケーブル接続ユニット２０の分離を不可とするロック機構があるので、装置本体１０が外されては困る動作状態のときに外され難いようにして対処することが出来る。
【００５８】
なお、本発明は、上記実施の形態に限られるものではなく、様々な変更が可能である。例えば、上記実施の形態では、セットトップボックスとしてＢＳやＣＳのテレビ放送を視聴する機能を有するものを例示したが、その他、ビデオオンデマンドやインターラクティブテレビなどの機能を提供する装置や、映像や音声を記録する機能を備えたものなど、テレビ受像装置に付加的な機能を提供する装置であればどのような機能のものも含まれる。
【００５９】
また、実施の形態では、装置本体には一切のケーブルが接続されず、電源ケーブルも設けられていない構成としているが、ケーブル接続用ユニットに接続されるケーブルの数に較べてごく僅かななケーブルを装置本体に接続するような構成であって、上記実施の形態と同様の効果が奏される。
【００６０】
その他、装置本体やケーブル接続ユニットの筐体形状、ロック機構の構造、接続コネクタと内部コネクタの構造など、具体的に示した細部等は、発明の趣旨を逸脱しない範囲で適宜変更可能である。
【図面の簡単な説明】
【００６１】
【図１】本発明の実施の形態のセットトップボックスと複数のテレビ受像装置との接続構成を示すシステム構成図である。
【図２】装置本体とケーブル接続ユニットの接続構造を示すもので、（ａ）は装置本体の後部側面図と装置本体と分離したケーブル接続ユニットの断面図、（ｂ）は両者を接続させた状態の図である。
【図３】装置本体にケーブル接続ユニットを装着した状態を示す正面図である。
【図４】装置本体側に設けられたコネクタ（ａ−１），（ａ−２）とケーブル接続ユニットに設けられた内部コネクタ（ｂ−１），（ｂ−２）それぞれの側面図と正面図である。
【図５】ケーブル接続ユニットの視聴設定スイッチの回路構成を示す図である。
【図６】装置本体に設けられているロック機構の構成を示す図である。
【図７】ロック機構を駆動制御するための回路構成を示す図である。
【図８】ロック機構の制御手順を示すフローチャートである。
【符号の説明】
【００６２】
１    セットトップボックス
１０  装置本体
１１，１２  接続コネクタ
１３  ロック機構
２０  ケーブル接続ユニット
２２  設定スイッチ
２３  ＡＶコネクタ
２４  アンテナコネクタ
２５  電源コード
２６  配線基板
２７  内部コネクタ
２８  ストッパー
４１  ＣＰＵ
４２  駆動回路
１３１  回動部材
１３１ａ  鉤部
１３１ｂ  ストッパー片
１３２  支軸
１３３  電磁コイル
１３４  磁石
【図１】
2006197317.tif 000003
【図２】
2006197317.tif 000004
【図３】
2006197317.tif 000005
【図４】
2006197317.tif 000006
【図５】
2006197317.tif 000007
【図６】
2006197317.tif 000008
【図７】
2006197317.tif 000009
【図８】
2006197317.tif 000010